(57)【要約】【課題】セキュリティを保持しつつ、利用者の利便性を向上させ、さらに、行先階を登録する登録時間が長くなることを抑えることができるエレベータの呼び登録装置を提供する。【解決手段】乗りかご２の不停止階が設定されたエレベータ１を利用する利用者の識別情報に関連付けて、利用者の行先階を示す行先階情報及び利用者の利用階を示す利用階情報を記憶する記憶部６ａと、情報読取部６ｂにより読み取った識別情報に関連する行先階情報及び利用階情報を記憶部６ａから取得する手段と、取得した行先階情報が示す行先階を自動登録階として設定し、取得した利用階情報が示す利用階を不停止解除階として設定する手段と、設定した自動登録階を呼び登録し、設定した不停止解除階であって行先階操作部４に対する入力操作により指定された行先階を呼び登録する手段とを備える。【選択図】図１
2008050066.tif 000002
【特許請求の範囲】
【請求項１】
乗りかごの不停止階が設定されたエレベータを利用する利用者の識別情報に関連付けて、前記利用者の行先階を示す行先階情報及び前記利用者の利用階を示す利用階情報を記憶する記憶部と、
前記利用者の識別情報を読み取る情報読取部と、
前記利用者の行先階を指定する入力操作を受け付ける行先階操作部と、
前記情報読取部により読み取った前記識別情報に関連する前記行先階情報及び前記利用階情報を前記記憶部から取得する手段と、
取得した前記行先階情報が示す前記行先階を前記乗りかごの自動登録階として設定し、取得した前記利用階情報が示す前記利用階を前記乗りかごの不停止解除階として設定する手段と、
設定した前記自動登録階を呼び登録し、設定した前記不停止解除階であって前記行先階操作部に対する前記入力操作により指定された前記行先階を呼び登録する手段と、
を備えることを特徴とするエレベータの呼び登録装置。
【請求項２】
前記設定する手段は、前記利用階情報が前記記憶部から取得されたか否かを判断し、前記利用階情報が前記記憶部から取得されたと判断した場合、取得した前記利用階情報が示す前記利用階を前記不停止解除階として設定し、前記利用階情報が前記記憶部から取得されなかったと判断した場合、取得した前記行先階情報が示す前記行先階を前記自動登録階として設定することを特徴とする請求項１記載のエレベータの呼び登録装置。
【請求項３】
前記登録する手段は、設定した前記不停止解除階である前記行先階が前記行先階操作部に対する前記入力操作により指定されたか否かを判断し、前記行先階が指定されたと判断した場合、指定された前記行先階を呼び登録し、前記行先階が指定されなかったと判断した場合、設定した前記自動登録階を呼び登録することを特徴とする請求項１記載のエレベータの呼び登録装置。
【請求項４】
前記行先階情報は、前記利用階情報が示す前記利用階毎の呼び登録回数であり、
前記設定する手段は、前記呼び登録回数が最大である前記利用階を前記自動登録階として設定することを特徴とする請求項１、２又は３記載のエレベータの呼び登録装置。
【請求項５】
前記行先階情報は、前記利用階情報が示す前記利用階毎及び前記乗りかごの走行状態毎の呼び登録回数であり、
前記設定する手段は、前記乗りかごの走行状態に応じて、前記呼び登録回数が最大である前記利用階を前記自動登録階として設定することを特徴とする請求項１、２又は３記載のエレベータの呼び登録装置。
【請求項６】
前記行先階情報は、前記利用階情報が示す前記利用階毎及び時間帯毎の呼び登録回数であり、
前記設定する手段は、前記情報読取部により前記個人情報を読み取った時刻に応じて、前記呼び登録回数が最大である前記利用階を前記自動登録階として設定することを特徴とする請求項１、２又は３記載のエレベータの呼び登録装置。
【請求項７】
前記行先階情報は、前記利用階情報が示す前記利用階毎及び曜日毎の呼び登録回数であり、
前記設定する手段は、前記情報読取部により前記個人情報を読み取った曜日に応じて、前記呼び登録回数が最大である前記利用階を前記自動登録階として設定することを特徴とする請求項１、２又は３記載のエレベータの呼び登録装置。
【発明の詳細な説明】
【技術分野】
【０００１】
本発明は、エレベータの呼び登録装置に関する。
【背景技術】
【０００２】
近年、防犯を目的として、利用者を認証する認証装置をエレベータに設ける事例が増えてきている。この認証装置を備えるエレベータは、認証装置により利用者の個人認証を行い、利用者を特定することができた場合だけ、エレベータの利用を可能とする。
【０００３】
このようなエレベータの呼び登録装置としては、利用者を特定することにより所定階への呼び登録を許可する呼び登録装置（例えば、特許文献１参照）や、無線タグを用いて所定の行先階を自動的に登録する呼び登録装置（例えば、特許文献２及び特許文献３参照）等が提案されている。ただし、これらの呼び登録装置は、行先階が変更不可能な呼び登録装置である。また、行先階に優先度を付与し、優先度が高い順に行先階を登録する呼び登録装置（例えば、特許文献３参照）、さらに、カードを認証装置にかざしている時間に応じて行先階を変更する呼び登録装置も提案されている。
【特許文献１】特開平１１−６００８５号公報
【特許文献２】特開２００３−３４１９４５号公報
【特許文献３】特開２００５−２５５３２０号公報
【発明の開示】
【発明が解決しようとする課題】
【０００４】
しかしながら、前述の行先階が変更不可能な呼び登録装置では、行先階が固定されており、利用者が自由に行先階を変更することができないため、利用者の利便性が低下している。また、前述の優先度が高い順に行先階を登録する呼び登録装置でも、優先度は予め固定されているため、利用者が自由に優先度を変更することはできず、利用者の利便性が低下している。一方、前述の行先階を変更する呼び登録装置では、カードを認証装置にかざしている時間に応じて行先階を変更するため、行先階を呼び登録する登録時間が建物の階数に応じて長くなってしまう。
【０００５】
本発明は、上記に鑑みてなされたものであり、その目的は、セキュリティを保持しつつ、利用者の利便性を向上させ、さらに、行先階を登録する登録時間が長くなることを抑えることができるエレベータの呼び登録装置を提供することである。
【課題を解決するための手段】
【０００６】
本発明の実施の形態に係る特徴は、エレベータの呼び登録装置において、乗りかごの不停止階が設定されたエレベータを利用する利用者の識別情報に関連付けて、利用者の行先階を示す行先階情報及び利用者の利用階を示す利用階情報を記憶する記憶部と、利用者の識別情報を読み取る情報読取部と、利用者の行先階を指定する入力操作を受け付ける行先階操作部と、情報読取部により読み取った識別情報に関連する行先階情報及び利用階情報を記憶部から取得する手段と、取得した行先階情報が示す行先階を乗りかごの自動登録階として設定し、取得した利用階情報が示す利用階を乗りかごの不停止解除階として設定する手段と、設定した自動登録階を呼び登録し、設定した不停止解除階であって行先階操作部に対する入力操作により指定された行先階を呼び登録する手段とを備えることである。
【発明の効果】
【０００７】
本発明によれば、セキュリティを保持しつつ、利用者の利便性を向上させ、さらに、行先階を登録する登録時間が長くなることを抑えることができる。
【発明を実施するための最良の形態】
【０００８】
（第１の実施の形態）
本発明の第１の実施の形態について図１ないし図６を参照して説明する。なお、本発明の第１の実施の形態は、エレベータの呼び登録装置をエレベータ１に適応した一適応例である。
【０００９】
図１に示すように、本発明の第１の実施の形態に係るエレベータ１は、各階にわたって昇降可能に設けられ、利用者が乗る乗りかご２と、その乗りかご２の昇降を制御するエレベータ制御盤３と、乗りかご２に設けられ、利用者による乗りかご２の行先階を指定する入力操作を受け付ける行先階操作部４と、各階の乗場にそれぞれ設けられ、利用者による乗りかご２の呼出階を指定する入力操作をそれぞれ受け付ける複数の呼出階操作部５と、利用者毎に乗りかご２の自動登録階及び不停止解除階を設定する設定部６とを備えている。
【００１０】
乗りかご２は、各階にわたって昇降可能に昇降路内に設けられている。この乗りかご２には、ロープが接続されており、そのロープは巻上機により巻き上げられる。この巻上機はエレベータ制御盤３により駆動制御される。このような乗りかご２は、利用者を収容し、利用者を各階に搬送する。
【００１１】
エレベータ制御盤３は、乗りかご２が昇降する昇降路の上部に位置する機械室内に設けられている。このエレベータ制御盤３には、行先階操作部４及び呼出階操作部５が電気的に接続されている。このようなエレベータ制御盤３は、行先階操作部４及び呼出階操作部５に対する利用者の入力操作に応じて、乗りかご２の昇降を制御する。特に、エレベータ制御盤３は、通常、乗りかご２の行先階を全て不停止階に設定しており、設定部６により設定された乗りかご２の自動登録階及び不停止解除階に基づいて乗りかご２の行先階を乗りかご２の停止階として登録、すなわち呼び登録し、呼び登録した行先階に基づいて乗りかご２の昇降を制御する。
【００１２】
行先階操作部４は、乗りかご２の行先階を指定する入力操作を受け付ける操作部である。この行先階操作部４は、行先階をそれぞれ示す複数の行先階ボタン４ａにより構成されている。このような行先階操作部４は、例えば、乗りかご２内に設けられており、利用者が希望する行先階を指定するとき、乗りかご２内に居る利用者により入力操作される。なお、行先階ボタン４ａは、ボタン灯を内蔵している。このボタン灯は、通常、対応する行先階ボタン４ａが入力操作された場合に点灯され、その行先階ボタン４ａが示す行先階が呼び登録されたことを利用者に対して報知する。
【００１３】
呼出階操作部５は、乗りかご２の呼出階を指定する入力操作を受け付ける操作部である。この呼出階操作部５は、上階への搬送を指示して乗りかご２を呼び出す上ボタン５ａ及び下階への搬送を指示して乗りかご２を呼び出す下ボタン５ｂにより構成されている。このような呼出階操作部５は、各階の乗場に設けられており、乗場で乗りかご２を呼び出す利用者により入力操作される。なお、上ボタン５ａ及び下ボタン５ｂは、ボタン灯をそれぞれ内蔵している。ボタン灯は、通常、対応する上ボタン５ａ又は下ボタン５ｂが入力操作された場合に点灯され、呼出階が呼び登録されたことを利用者に対して報知する。
【００１４】
設定部６は、利用者を管理するための管理情報である利用者データベースＤを格納する記憶部６ａと、利用者の個人情報Ｄ３を読み取る情報読取部６ｂと、その情報読取部６ｂにより読み取られた個人情報Ｄ３と利用者データベースＤとを比較して利用者を認証する認証判定部６ｃと、利用者データベースＤに基づいて利用者の利用階を判定する利用階判定部６ｄとを備えている。このような設定部６は、エレベータ制御盤３に電気的に接続されている。
【００１５】
利用者データベースＤは、図２に示すように、利用者に関する利用者情報Ｄ１を利用者毎に有するデータの集合体である。利用者情報Ｄ１は、固有番号情報Ｄ２、個人情報Ｄ３、行先階情報Ｄ４、利用階情報Ｄ５及び利用可否情報Ｄ６により構成されている。固有番号情報Ｄ２は、利用者を特定する固有のＩＤ番号（利用者ＩＤ）である。この固有番号情報Ｄ２は、個人情報Ｄ３、行先階情報Ｄ４、利用階情報Ｄ５及び利用可否情報Ｄ６を関連付けている。個人情報Ｄ３は、例えば、指紋、静脈又は顔等の個人の生体情報であり、利用者の個人認証に必要な情報である。ここで、固有番号情報Ｄ２及び個人情報Ｄ３は、利用者を識別するための識別情報として機能する。行先階情報Ｄ４は、利用者の行先階を示す情報であり、乗りかご２の自動登録階を設定するために用いる情報である。利用階情報Ｄ５は、利用者の利用階、すなわち利用者が利用可能な階を示す情報であり、乗りかご２の不停止階解除階を設定するために用いる情報である。ここで、行先階情報Ｄ４及び利用階情報Ｄ５は、呼び登録に関する階数を示す階数情報として機能する。また、利用可否情報Ｄ６は、利用者がエレベータ１を利用して良いか否かを示す情報である。この利用可否情報Ｄ６は、一時的にエレベータ１の利用を禁止する場合等に用いられる。
【００１６】
この利用者データベースＤは、設定部６に接続されたデータベース編集装置７により編集される。データベース編集装置７は、設定部６に電気的に接続可能に形成されている。このデータベース編集装置７は、通常、設定部６に接続されておらず、必要なときに設定部６に接続されて用いられる。このようなデータベース編集装置７は、図３に示すような編集画面Ｇ１を表示し、管理者等の操作者により入力操作され、記憶部６ａの利用者データベースＤに利用者情報Ｄ１を登録する。データベース編集装置７としては、例えばノートパソコン等を用いる。編集画面Ｇ１に示す白丸Ｍ１及び黒丸Ｍ２は、マウス等によりクリックすることによって反転する。なお、本実施の形態では、黒丸Ｍ２は、その階床が利用階又は行先階として設定されていることを示す。
【００１７】
記憶部６ａは、利用者データベースＤ、すなわち利用者毎の利用者情報Ｄ１を記憶する格納部である。この記憶部６ａとしては、例えばハードディスクやフラッシュメモリ等を用いる。ここで、例えば、記憶部６ａとして、着脱可能な記憶部６ａを用いた場合には、データベース編集装置７をエレベータ１まで持ち歩く必要がなくなるので、管理者等の操作者の負担を軽減することができ、さらに、記憶部６ａの交換作業中だけエレベータ１の運転を停止すればよく、利用者データベースＤに対する編集作業中、エレベータ１の運転を停止する必要がなくなるので、エレベータ１の停止時間を短縮することができる。
【００１８】
情報読取部６ｂは、利用者を認証するために必要な個人情報Ｄ３を読み取る読取装置である。この情報読取部６ｂは、例えば、行先階操作部４の近傍に位置付けられて乗りかご２内に設けられている。個人情報Ｄ３としては、例えば、利用者の生体情報等を用いる。この生体情報としては、例えば、指紋情報、手等の静脈パターン情報、顔画像情報、目の虹彩情報及び目の網膜情報等が挙げられる。したがって、情報読取部６ｂとしては、前述のような生体情報を読み取る読取装置等を用いる。このような情報読取部６ｂは、利用者から個人情報Ｄ３を読み取り、その個人情報Ｄ３を認証判定部６ｃに送信する。
【００１９】
認証判定部６ｃは、情報読取部６ｂから送信された個人情報Ｄ３と、記憶部６ａの利用者データベースＤに記憶された利用者毎の個人情報Ｄ３とを比較し、情報読取部６ｂから送信された個人情報Ｄ３が利用者データベースＤの利用者毎の個人情報Ｄ３内にあるか否かを判断する判定部である。この認証判定部６ｃは、情報読取部６ｂから送信された個人情報Ｄ３が利用者データベースＤの利用者毎の個人情報Ｄ３内にあると判断した場合だけ、情報読取部６ｂから送信された個人情報Ｄ３に基づいて、利用者データベースＤから利用者の固有番号情報Ｄ２（例えば、利用者ＩＤ）を取得し、取得した固有番号情報Ｄ２を利用階判定部６ｄに送信する。
【００２０】
利用階判定部６ｄは、認証判定部６ｃから送信された固有番号情報Ｄ２に基づいて、記憶部６ａの利用者データベースＤから利用者情報Ｄ１、すなわち行先階情報Ｄ４及び利用階情報Ｄ５を取得し、取得した行先階情報Ｄ４に基づいて乗りかご２の自動登録階を設定し、あるいは、取得した利用階情報Ｄ５に基づいて乗りかご２の不停止解除階を設定し、それらの自動登録階及び不停止解除階のどちらか一方をエレベータ制御盤３に通知する。
【００２１】
次に、このようなエレベータ１の呼び登録処理について説明する。エレベータ１が備えるエレベータ制御盤３及び設定部６が呼び登録処理を実行する。設定部６では、認証判定部６ｃ及び利用階判定部６ｄが呼び登録処理を実行する。なお、通常、エレベータ１の行先階操作部４に対する入力操作は無効にされている。すなわち、行先階操作部４の行先階ボタン４ａが示す行先階は不停止階として設定されている。
【００２２】
図４に示すように、認証判定部６ｃは、情報読取部６ｂから個人情報Ｄ３を取得し（ステップＳ１）、取得した個人情報Ｄ３を検索キーとし、記憶部６ａの利用者データベースＤを検索する（ステップＳ２）。次いで、取得した個人情報Ｄ３が記憶部６ａの利用者データベースＤに登録されているか否かを判断する（ステップＳ３）。これにより、利用者の個人認証が行われる。
【００２３】
取得した個人情報Ｄ３が記憶部６ａの利用者データベースＤに登録されていると判断した場合には（ステップＳ３のＹＥＳ）、取得した個人情報Ｄ３に対応する利用者情報Ｄ１を記憶部６ａの利用者データベースＤから取得し（ステップＳ４）、取得した利用者情報Ｄ１内の利用可否情報Ｄ６に基づいて利用者がエレベータ１を利用して良いか否かを判断する（ステップＳ５）。一方、取得した個人情報Ｄ３が記憶部６ａの利用者データベースＤに登録されていないと判断した場合には（ステップＳ３のＮＯ）、処理を終了する。
【００２４】
利用者がエレベータ１を利用して良いと判断した場合には（ステップＳ５のＹＥＳ）、取得した利用者情報Ｄ１内の固有番号情報Ｄ２（例えば、利用者ＩＤ）を利用階判定部６ｄに送信する（ステップＳ６）。一方、利用者がエレベータ１を利用してはいけないと判断した場合には（ステップＳ５のＮＯ）、処理を終了する。
【００２５】
図５に示すように、利用階判定部６ｄは、認証判定部６ｃから固有番号情報Ｄ２（例えば、利用者ＩＤ）を取得し（ステップＳ１１）、その固有番号情報Ｄ２を含む利用者情報Ｄ１を記憶部６ａの利用者データベースＤから取得する（ステップＳ１２）。次いで、記憶部６ａの利用者データベースＤから利用階情報Ｄ５が取得されたか否か、すなわち、取得した利用者情報Ｄ１内に利用階情報Ｄ５があるか否かを判断する（ステップＳ１３）。
【００２６】
取得した利用者情報Ｄ１内に利用階情報Ｄ５があると判断した場合には（ステップＳ１３のＹＥＳ）、その利用階情報Ｄ５が示す利用階を乗りかご２の不停止解除階として設定し、その不停止解除階をエレベータ制御盤３に通知し（ステップＳ１４）、処理を終了する。一方、取得した利用者情報Ｄ１内に利用階情報Ｄ５がないと判断した場合には（ステップＳ１３のＮＯ）、取得した利用者情報Ｄ１内に行先階情報Ｄ４があるか否かを判断する（ステップＳ１５）。
【００２７】
取得した利用者情報Ｄ１内に行先階情報Ｄ４があると判断した場合には（ステップＳ１５のＹＥＳ）、その行先階情報Ｄ４が示す行先階を乗りかご２の自動登録階として設定し、その自動登録階をエレベータ制御盤３に通知し（ステップＳ１６）、処理を終了する。一方、取得した利用者情報Ｄ１内に行先階情報Ｄ４がないと判断した場合には（ステップＳ１５のＮＯ）、そのまま処理を終了する。
【００２８】
図６に示すように、エレベータ制御盤３は、利用階判定部６ｄから不停止解除階及び自動登録階のどちらか一方を取得し（ステップＳ２１）、不停止解除階及び自動登録階のどちらを取得したか、例えば、自動登録階を取得したか否かを判断する（ステップＳ２２）。
【００２９】
自動登録階を所得したと判断した場合には（ステップＳ２２のＹＥＳ）、取得した自動登録階に対応する行先階ボタン４ａを点灯し（ステップＳ２３）、取得した自動登録階を呼び登録し（ステップＳ２４）、処理を終了する。
【００３０】
一方、不停止解除階を取得し、自動登録階を取得しなかったと判断した場合には（ステップＳ２２のＮＯ）、取得した不停止解除階を呼び登録可能階に設定する（ステップＳ２５）。これにより、不停止階が解除され、呼び登録可能階となる。その後、行先階操作部４に対する入力操作が行われたか否か、すなわち行先階ボタン４ａが押下されたか否かを判断し（ステップＳ２６）、行先階ボタン４ａが押下されていないと判断した場合には（ステップＳ２６のＮＯ）、処理をステップＳ２６に戻し、行先階ボタン４ａの押下に待機する。行先階ボタン４ａが押下されたと判断した場合には（ステップＳ２６のＹＥＳ）、押下された行先階ボタン４ａの行先階が呼び登録可能階であるか否かを判断する（ステップＳ２７）。
【００３１】
押下された行先階ボタン４ａの行先階が呼び登録可能階でないと判断した場合には（ステップＳ２７のＮＯ）、処理をステップＳ２６に戻し、押下された行先階ボタン４ａの行先階が呼び登録階であると判断した場合には（ステップＳ２７のＹＥＳ）、押下された行先階ボタン４ａを点灯し（ステップＳ２８）、押下された行先階ボタン４ａの行先階を呼び登録する（ステップＳ２９）。その後、全ての行先階ボタン４ａが示す行先階を不停止階として設定、すなわち、呼び登録可能階をリセットする（ステップＳ３０）。
【００３２】
ここで、例えば、固有番号情報Ｄ２が５である利用者（図２参照）の個人情報Ｄ３が情報読取部６ｂにより１階で読み取られた場合には、その個人情報Ｄ３を含む利用者情報Ｄ１内の行先階情報Ｄ４が示す行先階は６階であり、同じ利用者情報Ｄ１内の利用階情報Ｄ５が示す利用階はないため、６階を示す行先階ボタン４ａが点灯され、６階が自動的に呼び登録される。このとき、行先階操作部４に対する利用者の入力操作は無効になっている。このような自動登録機能により、乗りかご２は、予め設定された行先階に利用者を搬送する。
【００３３】
また、固有番号情報Ｄ２が１である利用者（図２参照）の個人情報Ｄ３が情報読取部６ｂにより１階で読み取られた場合には、その個人情報Ｄ３を含む利用者情報Ｄ１内の利用階情報Ｄ５が示す利用階は２階から１０階であるため、２階から１０階が呼び登録可能階として設定される。その後、２階から１０階をそれぞれ示す各行先階ボタン４ａのどれか一つが利用者により押下されると、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００３４】
このようにして、利用者に応じて、自動登録機能及び選択登録機能のどちらか一方が提供される。すなわち、利用者が特定の行先階だけの使用が許可された利用者である場合には、行先階が自動的に呼び登録され、利用者が複数階の利用が許可された利用者である場合には、利用者により複数の利用階から希望する行先階が選択され、選択された行先階が呼び登録される。
【００３５】
以上説明したように、本発明の第１の実施の形態によれば、利用者に応じて、記憶部６ａの利用者データベースＤから取得した行先階情報Ｄ４が示す行先階を乗りかご２の自動登録階として設定し、あるいは、記憶部６ａの利用者データベースＤから取得した利用階情報Ｄ５が示す利用階を乗りかご２の不停止解除階として設定することによって、利用者に応じて自動登録機能及び選択登録機能のどちらか一方を提供することが可能になる。さらに、選択登録機能が提供された利用者は利用階の中から行先階を選択することが可能になるので、セキュリティを保持しつつ、利用者の利便性を向上させることができる。加えて、利用者が行先階操作部４を入力操作することにより、利用階の中から行先階が呼び登録されるので、従来のようにカードをかざす必要がなくなり、利用者の利便性を向上させることができ、さらに、行先階を登録する登録時間が長くなることを抑えることができる。
【００３６】
特に、利用階情報Ｄ５が記憶部６ａから取得されたか否かを判断し、利用階情報Ｄ５が記憶部６ａから取得されなかったと判断した場合、取得した行先階情報Ｄ４が示す行先階を自動登録階として設定し、利用階情報Ｄ５が記憶部６ａから取得されたと判断した場合、取得した利用階情報Ｄ５が示す利用階を不停止解除階として設定することから、簡単な処理により、利用者に応じて自動登録機能及び選択登録機能のどちらか一方を利用者に提供することが可能になるので、利用階判定部６ｄの処理負担を軽減することができる。
【００３７】
（第２の実施の形態）
本発明の第２の実施の形態について図７及び図８を参照して説明する。
【００３８】
本発明の第２の実施の形態では、第１の実施の形態と異なる部分、すなわち、エレベータ１の呼び登録処理の一部分について説明する。なお、第１の実施の形態で説明した部分と同一部分は同一符号で示し、その説明は省略する（他の実施の形態も同様である）。
【００３９】
図７に示すように、利用階判定部６ｄは、認証判定部６ｃから固有番号情報Ｄ２（例えば、利用者のＩＤ）を取得し（ステップＳ３１）、その固有番号情報Ｄ２を含む利用者情報Ｄ１を記憶部６ａの利用者データベースＤから取得する（ステップＳ３２）。次いで、取得した利用者情報Ｄ１内の利用階情報Ｄ５が示す利用階を乗りかご２の不停止解除階として設定し、その不停止解除階をエレベータ制御盤３に通知し（ステップＳ３３）、さらに、取得した利用者情報Ｄ１内の行先階情報Ｄ４が示す行先階を乗りかご２の自動登録階として設定し、その自動登録階をエレベータ制御盤３に通知し（ステップＳ３４）、処理を終了する。
【００４０】
図８に示すように、エレベータ制御盤３は、利用階判定部６ｄから不停止解除階を取得し（ステップＳ４１）、取得した不停止解除階を呼び登録可能階に設定する（ステップＳ４２）。これにより、不停止階が解除され、呼び登録可能階となる。さらに、エレベータ制御盤３は、利用階判定部６ｄから自動登録階を取得し（ステップＳ４３）、取得した自動登録階に対応する行先階ボタン４ａを点灯する（ステップＳ４４）。
【００４１】
その行先階ボタン４ａの点灯後、例えば３秒の所定時間だけ経過したか否かを判断する（ステップＳ４５）。所定時間が経過したと判断した場合には（ステップＳ４５のＹＥＳ）、取得した自動登録階を呼び登録する（ステップＳ４６）。その後、全ての行先階ボタン４ａが示す行先階を不停止階として設定、すなわち、呼び登録可能階をリセットする（ステップＳ４７）。
【００４２】
一方、所定時間が経過していないと判断した場合には（ステップＳ４５のＮＯ）、行先階操作部４に対する入力操作が行われたか否か、すなわち行先階ボタン４ａが押下されたか否かを判断し（ステップＳ４８）、行先階ボタン４ａが押下されていないと判断した場合には（ステップＳ４８のＮＯ）、処理をステップＳ４５に戻し、行先階ボタン４ａの押下に待機する。行先階ボタン４ａが押下されたと判断した場合には（ステップＳ４８のＹＥＳ）、押下された行先階ボタン４ａの行先階が呼び登録可能階であるか否かを判断する（ステップＳ４９）。
【００４３】
押下された行先階ボタン４ａの行先階が呼び登録可能階でないと判断した場合には（ステップＳ４９のＮＯ）、処理をステップＳ４５に戻し、押下された行先階ボタン４ａの行先階が呼び登録階であると判断した場合には（ステップＳ４９のＹＥＳ）、点灯している行先階ボタン４ａを消灯し（ステップＳ５０）、押下された行先階ボタン４ａを点灯し（ステップＳ５１）、押下された行先階ボタン４ａの行先階を呼び登録し（ステップＳ５２）、処理をステップＳ４７に進める。
【００４４】
ここで、例えば、固有番号情報Ｄ２が５である利用者（図２参照）の個人情報Ｄ３が情報読取部６ｂにより１階で読み取られた場合には、その個人情報Ｄ３を含む利用者情報Ｄ１内の行先階情報Ｄ４が示す行先階が６階であり、同じ利用者情報Ｄ１内の利用階情報Ｄ５が示す利用階がないため、６階を示す行先階ボタン４ａが点灯され、６階が自動的に呼び登録される。このとき、行先階操作部４に対する利用者の入力操作は無効になっている。このような自動登録機能により、乗りかご２は、予め設定された行先階に利用者を搬送する。
【００４５】
また、固有番号情報Ｄ２が１である利用者（図２参照）の個人情報Ｄ３が情報読取部６ｂにより１階で読み取られた場合には、その個人情報Ｄ３を含む利用者情報Ｄ１内の行先階情報Ｄ４が示す行先階は８階であり、同じ利用者情報Ｄ１内の利用階情報Ｄ５が示す利用階は２階から１０階であるため、８階を示す行先階ボタン４ａが点灯され、２階から１０階が呼び登録可能階として設定される。その後、所定時間内に、２階から１０階をそれぞれ示す各行先階ボタン４ａのどれか一つが利用者により押下されない場合には、８階が自動的に呼び登録される。このような自動登録機能により、乗りかご２は、予め設定された行先階に利用者を搬送する。一方、所定時間内に、２階から１０階をそれぞれ示す行先階ボタン４ａのどれか一つが利用者により押下された場合には、８階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００４６】
このようにして、利用者に応じて、自動登録機能及び選択登録機能のどちらか一方又は両方が提供される。すなわち、利用者が特定の行先階だけの使用が許可された利用者である場合には、行先階が自動的に呼び登録される。また、利用者が複数階の利用が許可された利用者である場合には、複数の利用階から希望する行先階が利用者により選択されないと、行先階が自動的に呼び登録され、複数の利用階から希望する行先階が利用者により選択されると、選択された行先階が呼び登録される。
【００４７】
以上説明したように、本発明の第２の実施の形態によれば、第１の実施の形態と同様の効果を得ることができる。また、利用者に応じて、記憶部６ａの利用者データベースＤから取得した行先階情報Ｄ４が示す行先階を乗りかご２の自動登録階として設定し、記憶部６ａの利用者データベースＤから取得した利用階情報Ｄ５が示す利用階を乗りかご２の不停止解除階として設定することによって、利用者に応じて自動登録機能及び選択登録機能の両方を提供することが可能になる。さらに、選択登録機能が提供された利用者は、自動登録された行先階を変更したい場合、利用階の中から行先階を選択することが可能になるので、セキュリティを保持しつつ、利用者の利便性を向上させることができる。加えて、利用者が行先階操作部４を入力操作することにより、利用階の中から行先階が呼び登録されるので、従来のようにカードをかざす必要がなくなり、利用者の利便性を向上させることができ、さらに、行先階を登録する登録時間が長くなることを抑えることができる。
【００４８】
特に、設定した不停止解除階である行先階が行先階操作部４に対する入力操作により指定されたか否かを判断し、行先階が指定されなかったと判断した場合、設定した自動登録階を呼び登録し、行先階が指定されたと判断した場合、指定された行先階を呼び登録することから、簡単な処理により、利用者に応じて自動登録機能及び選択登録機能の両方を利用者に提供することが可能になるので、エレベータ制御盤３の処理負担を軽減することができる。
【００４９】
（第３の実施の形態）
本発明の第３の実施の形態について図９及び図１０を参照して説明する。なお、本発明の第３の実施の形態では、第２の実施の形態と異なる部分、すなわち、利用者情報Ｄ１内の行先階情報Ｄ４の内容及びエレベータ１の呼び登録処理の一部分について説明する。
【００５０】
図９に示すように、行先階情報Ｄ４は、同じ利用者情報Ｄ１内の利用階情報Ｄ５が示す利用階毎の呼び登録回数である。この呼び登録回数が最大である利用階が行先階として指定され、乗りかご２の自動登録階として設定される。なお、利用階の呼び登録回数とは、その利用階が何度呼び登録されたかを示す数である。
【００５１】
図１０に示すように、利用階判定部６ｄは、認証判定部６ｃから固有番号情報Ｄ２（例えば、利用者のＩＤ）を取得し（ステップＳ６１）、その固有番号情報Ｄ２を含む利用者情報Ｄ１を記憶部６ａの利用者データベースＤから取得する（ステップＳ６２）。次いで、取得した利用者情報Ｄ１内の利用階情報Ｄ５が示す利用階を乗りかご２の不停止解除階として設定し、その不停止解除階をエレベータ制御盤３に通知する（ステップＳ６３）。
【００５２】
さらに、利用階判定部６ｄは、取得した利用者情報Ｄ１内の行先階情報Ｄ４に基づいて、その行先階情報Ｄ４の呼び登録回数が最大である利用階を行先階として指定し（ステップＳ６４）、指定した行先階を乗りかご２の自動登録階として設定し、設定した自動登録階をエレベータ制御盤３に通知する（ステップＳ６５）。その後、利用階判定部６ｄは、エレベータ制御盤３から、呼び登録された行先階を取得し（ステップＳ６６）、取得した行先階に対応する行先階情報Ｄ４の呼び登録回数を増加させる（ステップＳ６７）。
【００５３】
ここで、例えば、固有番号情報Ｄ２が１１である利用者（図９参照）の個人情報Ｄ３が１階で情報読取部６ｂにより読み取られた場合には、その個人情報Ｄ３を含む利用者情報Ｄ１内の行先階情報Ｄ４が示す呼び登録階数が最大である利用階は９階であり、同じ利用者情報Ｄ１内の利用階情報Ｄ５が示す利用階は２階から１１階であるため、９階を示す行先階ボタン４ａが点灯され、２階から１１階が呼び登録可能階として設定される。その後、所定時間内に、２階から１１階をそれぞれ示す行先階ボタン４ａのどれか一つが利用者により押下されない場合には、９階が自動的に呼び登録される。このような自動登録機能により、乗りかご２は、利用頻度が高い利用階である行先階に利用者を搬送する。一方、所定時間内に、２階から１１階をそれぞれ示す各行先階ボタン４ａのどれか一つが利用者により押下された場合には、９階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００５４】
以上説明したように、本発明の第３の実施の形態によれば、第２の実施の形態と同様の効果を得ることができる。また、行先階情報Ｄ４は利用階情報Ｄ５が示す利用階毎の呼び登録回数であり、さらに、呼び登録回数が最大である利用階を自動登録階として設定することから、利用階はその呼び登録回数に応じて自動登録階として設定されるので、利用者の利用頻度が高い利用階を自動的に呼び登録することができ、その結果として、利用者の利便性をより向上させることができる。特に、利用階の呼び登録回数に応じて、利用者の利用頻度が高い利用階を自動的に呼び登録することが可能になるので、利用階の利用頻度に合わせたエレベータ１の運転を実現することができる。加えて、管理者等の操作者がデータベース編集装置７により行先階情報Ｄ４を設定する必要がなくなり、さらに、行先階情報Ｄ４が自動更新されるので、管理者等の操作者の負担を軽減することができる。
【００５５】
ここで、例えば、マンションやオフィスビル等の建物に設けられたエレベータ１では、住居階、オフィス階及び出入口階等の呼び登録回数が増加していくので、それらの住居階、オフィス階及び出入口階等の利用階が自動的に呼び登録される。これにより、利用者の利用頻度が高い利用階を自動的に呼び登録することができ、また、利用者が通常通りエレベータ１を利用していても、行先階情報Ｄ４が自動更新されるので、管理者等の操作者の負担を軽減することができる。
【００５６】
（第４の実施の形態）
本発明の第４の実施の形態について図１１を参照して説明する。なお、本発明の第４の実施の形態では、第３の実施の形態と異なる部分、すなわち、利用者情報Ｄ１内の行先階情報Ｄ４の内容について説明する。
【００５７】
図１１に示すように、行先階情報Ｄ４は、同じ利用者情報Ｄ１内の利用階情報Ｄ５が示す利用階毎及び乗りかご２の走行状態毎の呼び登録回数である。この呼び登録回数が最大である利用階が、乗りかご２の走行状態に応じて行先階として指定され、乗りかご２の自動登録階として設定される。ここで、図１０に示すステップＳ６４では、乗りかご２の走行状態に応じて、呼び登録回数が最大である利用階を行先階として指定する。なお、乗りかご２の走行状態は、エレベータ制御盤３から通知される。
【００５８】
走行状態としては、例えば、乗りかご２が上昇する方向に走行する上方向及び乗りかご２が下降する方向に走行する下方向等のような走行状態が挙げられる。これらの走行状態毎に利用階の呼び登録回数が行先階情報Ｄ４として記憶部６ａの利用者データベースＤに格納されている。
【００５９】
ここで、例えば、固有番号情報Ｄ２が２１である利用者（図１１参照）の個人情報Ｄ３が４階で情報読取部６ｂにより読み取られ、乗りかご２が上昇する方向に走行していた場合には、その個人情報Ｄ３を含む利用者情報Ｄ１内の行先階情報Ｄ４が示す上方向の呼び登録階数が最大である利用階は８階であり、同じ利用者情報Ｄ１内の利用階情報Ｄ５が示す利用階は１階から１０階であるため、８階を示す行先階ボタン４ａが点灯され、１階から１０階が呼び登録可能階として設定される。その後、所定時間内に、１階から１０階をそれぞれ示す行先階ボタン４ａのどれか一つが利用者により押下されない場合には、８階が自動的に呼び登録される。このような自動登録機能により、乗りかご２は、上昇する方向への走行状態において利用頻度が高い利用階である行先階に利用者を搬送する。一方、所定時間内に、１階から１０階をそれぞれ示す各行先階ボタン４ａのどれか一つが利用者により押下された場合には、８階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００６０】
一方、固有番号情報Ｄ２が２１である利用者（図１１参照）の個人情報Ｄ３が４階で情報読取部６ｂにより読み取られ、乗りかご２が下降する方向に走行していた場合には、その個人情報Ｄ３を含む利用者情報Ｄ１内の行先階情報Ｄ４が示す下方向の呼び登録階数が最大である利用階は１階であり、同じ利用者情報Ｄ１内の利用階情報Ｄ５が示す利用階は１階から１０階であるため、１階を示す行先階ボタン４ａが点灯され、１階から１０階が呼び登録可能階として設定される。その後、所定時間内に、１階から１０階をそれぞれ示す行先階ボタン４ａのどれか一つが利用者により押下されない場合には、１階が自動的に呼び登録される。このような自動登録機能により、乗りかご２は、利用頻度が高い利用階である行先階に利用者を搬送する。一方、所定時間内に、１階から１０階をそれぞれ示す各行先階ボタン４ａのどれか一つが利用者により押下された場合には、１階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００６１】
以上説明したように、第４の実施の形態によれば、第３の実施の形態と同様の効果を得ることができる。また、行先階情報Ｄ４は、利用階情報Ｄ５が示す利用階毎及び乗りかご２の走行状態毎の呼び登録回数であり、さらに、乗りかご２の走行状態に応じて、呼び登録回数が最大である利用階を自動登録階として設定することから、利用階はその乗りかご２の走行状態毎の呼び登録回数に応じて自動登録階として設定されるので、利用者の利用頻度が高い利用階を適切に自動呼び登録することができ、その結果として、利用者の利便性をより向上させることができる。特に、乗りかご２の走行状態に応じて、利用者の利用頻度が高い利用階を自動的に呼び登録することが可能になるので、乗りかご２の走行状態毎の利用頻度に合わせたエレベータ１の運転を実現することができる。
【００６２】
ここで、例えば、地下駐車場や食堂等の共有階を有するマンションやオフィスビル等の建物、特に、地下駐車場が住居階やオフィス階よりも下の階にあり、食堂が住居階やオフィス階よりも上の階にある建物に設けられたエレベータ１では、利用者が住居階やオフィス階から乗りかご２に乗ると、乗りかご２が下降する方向に走行していた場合、地下駐車場階が自動的に呼び登録され、乗りかご２が上昇する向に走行していた場合、食堂階が自動的に呼び登録されるような運転が可能になる。これにより、乗りかご２の走行状態に応じて、利用者の利用頻度が高い利用階を自動的に呼び登録することが可能になるので、乗りかご２の走行状態毎の利用頻度に合わせたエレベータ１の運転を実現することができる。
【００６３】
（第５の実施の形態）
本発明の第５の実施の形態について図１２を参照して説明する。なお、本発明の第５の実施の形態では、第３の実施の形態と異なる部分、すなわち、利用者情報Ｄ１内の行先階情報Ｄ４の内容について説明する。
【００６４】
図１２に示すように、行先階情報Ｄ４は、同じ利用者情報Ｄ１内の利用階情報Ｄ５が示す利用階毎及び時間帯毎の呼び登録回数である。この呼び登録回数が最大である利用階が、情報読取部６ｂにより個人情報Ｄ３を読み取った時刻に応じて行先階として指定され、乗りかご２の自動登録階として設定される。ここで、図１０に示すステップＳ６４では、情報読取部６ｂにより個人情報Ｄ３を読み取った時刻に応じて、呼び登録回数が最大である利用階を行先階として指定する。すなわち、ステップＳ６４では、個人情報Ｄ３を読み取った時刻を含む時間帯を判別し、その時間帯での呼び登録回数が最大である利用階を行先階として指定する。
【００６５】
時間帯としては、例えば、７：００〜１０：００までの朝、１２：００〜１３：００までの昼、１７：００〜１９：００までの夕方、及び、１９：００〜２４：００までの夜等のような時間帯等が挙げられる。これらの運転時間帯毎に利用階の呼び登録回数が行先階情報Ｄ４として記憶部６ａの利用者データベースＤに格納されている。
【００６６】
ここで、例えば、朝の時間帯に８階で、固有番号情報Ｄ２が２１である利用者（図１２参照）の個人情報Ｄ３が情報読取部６ｂにより読み取られた場合には、その個人情報Ｄ３を含む利用者情報Ｄ１内の行先階情報Ｄ４が示す朝の呼び登録階数が最大である利用階は１階であり、同じ利用者情報Ｄ１内の利用階情報Ｄ５が示す利用階は１階から１０階であるため、１階を示す行先階ボタン４ａが点灯され、１階から１０階が呼び登録可能階として設定される。その後、所定時間内に、１階から１０階をそれぞれ示す行先階ボタン４ａのどれか一つが利用者により押下されない場合には、１階が自動的に呼び登録される。このような自動登録機能により、乗りかご２は、朝の時間帯に利用頻度が高い利用階である行先階に利用者を搬送する。一方、所定時間内に、１階から１０階をそれぞれ示す各行先階ボタン４ａのどれか一つが利用者により押下された場合には、１階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００６７】
一方、夜の時間帯に１階で、固有番号情報Ｄ２が２１である利用者（図１１参照）の個人情報Ｄ３が情報読取部６ｂにより読み取られた場合には、その個人情報Ｄ３を含む利用者情報Ｄ１内の行先階情報Ｄ４が示す夜の呼び登録階数が最大である利用階は８階であり、同じ利用者情報Ｄ１内の利用階情報Ｄ５が示す利用階は１階から１０階であるため、８階を示す行先階ボタン４ａが点灯され、１階から１０階が呼び登録可能階として設定される。その後、所定時間内に、１階から１０階をそれぞれ示す行先階ボタン４ａのどれか一つが利用者により押下されない場合には、８階が自動的に呼び登録される。このような自動登録機能により、乗りかご２は、夜の時間帯に利用頻度が高い利用階である行先階に利用者を搬送する。一方、所定時間内に、１階から１０階をそれぞれ示す各行先階ボタン４ａのどれか一つが利用者により押下された場合には、８階を示す行先階ボタン４ａが消灯され、押下された行先階ボタン４ａが点灯され、その行先階ボタン４ａが示す行先階が呼び登録される。このような選択登録機能により、乗りかご２は、予め設定された利用階の中で利用者が希望する希望階に利用者を搬送する。
【００６８】
以上説明したように、第５の実施の形態によれば、第３の実施の形態と同様の効果を得ることができる。また、行先階情報Ｄ４は、利用階情報Ｄ５が示す利用階毎及び時間帯毎の呼び登録回数であり、さらに、情報読取部６ｂにより個人情報Ｄ３を読み取った時刻に応じて、呼び登録回数が最大である利用階を自動登録階として設定することから、利用階は時間帯毎の呼び登録回数に応じて自動登録階として設定されるので、利用者の利用頻度が高い利用階を適切に自動呼び登録することができ、その結果として、利用者の利便性をより向上させることができる。特に、利用者毎の生活パターンに応じて、利用者の利用頻度が高い利用階を自動的に呼び登録することが可能になるので、利用者毎の生活パターンに合わせたエレベータ１の運転を実現することができる。
【００６９】
ここで、例えば、地下駐車場や食堂等の共有階を有するマンションやオフィスビル等の建物に設けられたエレベータ１では、利用者が住居階やオフィス階から乗りかご２に乗ると、朝の時間帯、出勤のため地下駐車場階が呼び登録され、夕方の時間帯、帰宅のため住居階が登録され、夜の時間帯、食事のため食堂階が呼び登録されるような運転を行うことが可能になる。これにより、利用者の生活パターンに合わせて、利用者の利用頻度が高い利用階を自動的に呼び登録することが可能になるので、利用者毎の生活パターンに合わせたエレベータ１の運転を実現することができる。
【００７０】
（他の実施の形態）
なお、本発明は、前述の実施の形態に限るものではなく、その要旨を逸脱しない範囲において種々変更可能である。
【００７１】
例えば、前述の実施の形態においては、生体情報を読み取る読取装置を用いているが、これに限るものではなく、例えば、利用者が所持するカード等の無線タグから固有番号情報を読み取る読取装置等を用いるようにしてもよい。
【００７２】
また、前述の第５の実施の形態においては、行先階情報Ｄ４として時間帯毎の呼び登録回数を用いているが、これに限るものではなく、例えば、行先階情報Ｄ４として曜日毎の呼び登録回数を用いるようにしてもよい。この場合、図１０に示すステップＳ６４では、情報読取部６ｂにより個人情報Ｄ３を読み取った曜日に応じて、呼び登録回数が最大である利用階を行先階として指定する。
【図面の簡単な説明】
【００７３】
【図１】本発明の第１の実施の形態に係るエレベータの概略構成を示す模式図である。
【図２】図１に示すエレベータが備える記憶部の利用者データベースを説明するための説明図である。
【図３】図２に示す利用者データベースを編集するデータベース編集装置が表示する編集画面の一例を説明するための説明図である。
【図４】図１に示すエレベータの呼び登録処理の流れの一部を示すフローチャートである。
【図５】図１に示すエレベータの呼び登録処理の流れの一部を示すフローチャートである。
【図６】図１に示すエレベータの呼び登録処理の流れの一部を示すフローチャートである。
【図７】本発明の第２の実施の形態に係るエレベータの呼び登録処理の流れの一部を示すフローチャートである。
【図８】本発明の第２の実施の形態に係るエレベータの呼び登録処理の流れの一部を示すフローチャートである。
【図９】本発明の第３の実施の形態に係るエレベータが備える記憶部の利用者データベースを説明するための説明図である。
【図１０】本発明の第３の実施の形態に係るエレベータの呼び登録処理の流れの一部を示すフローチャートである。
【図１１】本発明の第４の実施の形態に係るエレベータが備える記憶部の利用者データベースを説明するための説明図である。
【図１２】本発明の第５の実施の形態に係るエレベータが備える記憶部の利用者データベースを説明するための説明図である。
【符号の説明】
【００７４】
１      エレベータ
２      乗りかご
４      行先階操作部
６ａ    記憶部
６ｂ    情報読取部
Ｄ２    識別情報（固有番号情報）
Ｄ３    識別情報（個人情報）
Ｄ４    行先階情報
Ｄ５    利用階情報
【図１】
2008050066.tif 000003
【図２】
2008050066.tif 000004
【図３】
2008050066.tif 000005
【図４】
2008050066.tif 000006
【図５】
2008050066.tif 000007
【図６】
2008050066.tif 000008
【図７】
2008050066.tif 000009
【図８】
2008050066.tif 000010
【図９】
2008050066.tif 000011
【図１０】
2008050066.tif 000012
【図１１】
2008050066.tif 000013
【図１２】
2008050066.tif 000014